【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
ａ）ハウジングの横側壁開口（310）を介してアクセス可能な第１ベイ部分（300）、
ｂ）ハウジングの後部壁開口（572）を介してアクセス可能な第２ベイ部分（570）、及び
ｃ）ハウジングの底部壁開口（741）を介してアクセス可能な第３ベイ部分（740）、
からなるタワー型コンピュータハウジング（12）。
【請求項２】
前記第２ベイ部分（570）が前記第１ベイ部分（300）の下方に配置され、前記第３ベイ部分（740）が前記第２のベイ部分（570）の下方に配置されている請求項１に記載のコンピュータハウジング。
【請求項３】
前記第２ベイ部分（570）の前方、かつ前記第１ベイ部分（300）の下方に配置されている第４ベイ部分（581）をさらに備えている請求項２に記載のコンピュータハウジング。
【請求項４】
第１の開口が、前記第１ベイ部分（300）と前記第４ベイ部分（581）との間の境界に配置されている電力ケーブル及び信号ケーブル（582、584、586）が通過するのに十分な大きさであり、第２の開口が、前記第３ベイ部分（740）と前記第４ベイ部分（581）との間の境界に配置されている電力ケーブル及び信号ケーブル（725、728）が通過するのに十分な大きさである請求項３に記載のコンピュータハウジング。
【請求項５】
前記ハウジングの横側壁開口（310）が、カバー部材（312）により選択的に覆われ、露出され得る請求項１〜４のいずれかに記載のコンピュータハウジング。
【請求項６】
前記第１ベイ部分（300）が、容易にアクセスすることができるマザーボード（350）を取付けるのに適合されている請求項１〜５のいずれかに記載のコンピュータハウジング。
【請求項７】
前記第１ベイ部分（300）が、モジュール式光学ドライブ（410）を取付けるのに適合されている請求項１〜６のいずれかに記載のコンピュータハウジング。
【請求項８】
前記第２ベイ部分（570）が、モジュール式電源アセンブリ（510）を取付けるのに適合されている請求項１〜７のいずれかに記載のコンピュータハウジング。
【請求項９】
前記第３ベイ部分（740）が、モジュール式ハードドライブアセンブリ（710）を取付けるのに適合されている請求項１〜８のいずれかに記載のコンピュータハウジング。
【請求項１０】
マザーボード（350）を、コンピュータハウジング（12）の第１ベイ部分（300）の内側の、横側壁開口（310）を介してアクセス可能な位置に取付けるステップ、
モジュール式光学ドライブ（410）を、前記第１ベイ部分（300）に取付けるステップ、
モジュール式電源（510）を、第２ベイ部分（570）に取付けるステップ、
モジュール式ハードドライブアセンブリ（710）を、第３ベイ部分（740）に取付けるステップ、
とからなるコンピュータの製造方法。
【請求項１１】
請求項１０の方法を利用して製造されたコンピュータ。
【手続補正２】
【補正対象書類名】明細書
【補正対象項目名】００２４
【補正方法】変更
【補正の内容】
【００２４】
マザーボードベイ
図６〜図１０に最もよく示されるように、コンピュータ10は、シート状金属からなるハウジング12の右横側28にあるアクセス用開口310を介してアクセス可能なマザーボードアクセスベイ300を備えている。開口は、側壁の平坦な上部パネル部分190及びフランジ41、106、146（図３及び図４参照）から構成される側面パネルドア312により開閉可能に覆われている。例示される実施形態では、側面パネルドア312は、ドア312及びハウジング12にある蝶番部分314、316によりハウジングに枢軸動可能に取付けられている。ドア312及びハウジング12はその中に受容されているピボットピン（図示せず）を備え、枢軸動アクセスＰＰを画定する。側面パネルドア312のフランジ部分106、146、41は、ドアを閉めると、ハウジングの後部上側及び前側の隣接部分と重なる。これらのドアフランジ部分は、アクセス用開口310の周辺328の傍に位置するフランジ部分318、320、322、324、326と共働する。更に詳細に説明すれば、フランジ部分318、320、322、324、326は、図７に示す位置に片寄せられており、ドアが閉じるにつれて側面パネルドア312のフランジ部分により弾性的に内側に付勢される。したがって、ハウジング及びドアフランジ部分は、ドアを閉めたとき接触する表面を有し、これら接触面は、二組のフランジの弾性的回復力により共に付勢される。その結果、これら接触面間に実質的滑り摩擦が存在し、これによりドアは、一旦閉じたら閉じた位置に保持される。ドアを更に開かないようにするために、小ねじ334（図４参照）が、ドアの上部フランジ146にある孔330とハウジングの上部フランジ320にあるねじ孔332に受容される。もちろんドアを閉じた位置に保持するのに、通常のキャビネットラッチアセンブリ、スナップロックアセンブリ、フック及びキャッチアセンブリ等のような、多くのドア保持、装置をも採用可能である。
【手続補正３】
【補正対象書類名】明細書
【補正対象項目名】００３０
【補正方法】変更
【補正の内容】
【００３０】
ドライブは、信号ケーブル417を着脱可能に接続するための信号ケーブルアダプタ416を取付けることができ、また電力ケーブル419を着脱可能に接続するための電力ケーブルアダプタ418を取付けることができる後面414を備える。図８は、ケーブルが接続されているドライブ410を示し、図７は、ケーブルを取り外した状態のドライブを示している。ドライブは更に、130ｍｍの長手方向寸法「ｋ」を有する第１の横側面415及び第２の横側面420、及び例えば13ｍｍの横寸法「ｘ」（図２参照）を有する上部面422及び底部面424を備えている。
【手続補正４】
【補正対象書類名】明細書
【補正対象項目名】００３８
【補正方法】変更
【補正の内容】
【００３８】
また、ドライブ410を、図８に示す、その通常の動作位置から、図９に示すようなマザーボードに対して干渉しない位置まで、容易に変位させることができ、ドライブがその通常の動作位置にあるとき、ドライブ410の背後に配置されているマザーボードの部分にアクセスすることが可能である。「容易に変位することができる」という語句は、本明細書で使用するとき、以前に少なくとも一度行った同じ操作を最近行なった技能的経験のない平均的人物が、特殊工具を使用せずに、３分かからないで、構成部品を一つの基準位置から他の位置に、移動させることができることを意味している。「容易に変位することができる」というのは、ハウジング12に関する場合にだけ定義され、ケーシング270のどんな部分をも取り外す際に必要となる如何なる時間、又は、必要であればケーシング270からハウジング12を取り外して特定の構成部品を一つの位置から他の位置に変位させるのに必要となる如何なる時間をも考慮していないということが理解されるべきである。
【手続補正５】
【補正対象書類名】明細書
【補正対象項目名】００４５
【補正方法】変更
【補正の内容】
【００４５】
電源アセンブリ510は、長方形のベイアクセス用開口572を有する電源ベイ570（図１７参照）に滑動可能に受容される。開口572は、垂直及び横の各方向にわずかに大きい寸法の、例えば２ｍｍ大きい、モジュール式電源ハウジング512の前部面及び後部面と実質的に同じ形状を備える。ベイ570は、コンピュータ10の通常の動作位置では水平である、長手方向かつ横方向に延伸する壁574により画定されている。壁574は、ハウジングの底部壁34から小さな距離離れた上方、例えば32ｍｍの位置に設けられ、ハウジングの底部壁34と平行に延伸している。カム柱575（図１４参照）が中間壁部分574に取付けられ、電源ハウジング512のカムレバーと共働する。カム柱575のカムレバーのカム面に対する相対位置を図１５に550で示す。
【手続補正６】
【補正対象書類名】明細書
【補正対象項目名】００４６
【補正方法】変更
【補正の内容】
【００４６】
電源ベイ570はまた、右側壁の垂直かつ長手方向に延伸する下方パネル部分198及び左側壁の下方パネル部分162により画定される。図１７により最もよく示されているように、電源ベイ570の前部端は、全般に垂直かつ横に延伸する電気コネクタアセンブリ576により画定され、例示される実施形態では、電気コネクタアセンブリ576は、その上に雌型ソケットである高密度電力コネクタソケット580が取付けられている基板578を備える。基板は、基板を介してソケット580に接続されている、その前方部分に接続された複数の電力線582、584、586を備える。電気コネクタアセンブリ576はまた、様々なコンピュータ構成部品を接続する様々な電力線及び信号線が通過している下方前部室581の後部分を画定する。電気コネクタアセンブリ576はまた、モジュール式電源ハウジング512の前壁に取付けられたＡＣ遮断（AC interrupt）528と共働するＡＣ遮断アクチュエータスタッド590を備える。
【手続補正７】
【補正対象書類名】明細書
【補正対象項目名】００４７
【補正方法】変更
【補正の内容】
【００４７】
電源ベイ570の内部にあるモジュール式電源の通常の動作位置は、雄型電源ソケット526が雌型電源ソケット580と適合固定関係に配置される位置であり、ＡＣ遮断アクチュエータスタッド590がＡＣ遮断528と適合係合関係に配置される位置である。この位置は、図３及び図１１に示され、これらの図では、電源ハウジングの後部壁部分510が下方パネル116と同じ高さ関係に配置されている。この通常の動作位置では、カムレバー538が、その小ねじ孔544がハウジングパネル116の小ねじ孔545と整列し、電源背面の中心からわずか右に配置される。凹所547は、パネル116に設けられ、カムレバーの第１のタブ部分541を互いに接触するように受容する。カムレバーが偶然に作動しないように、小ねじ（図示せず）が孔544を介して挿入され、孔545にねじ込まれる。カムレバー538は、孔544及び545を介する小ねじを利用することなく、戻り止め孔546と戻り止めスタッド548との共働動作により、図３及び図１１に示した位置に維持される。
【手続補正８】
【補正対象書類名】明細書
【補正対象項目名】００４８
【補正方法】変更
【補正の内容】
【００４８】
モジュール式電源アセンブリ510を電源ベイ570から取り外すには、カムレバー538に人間の親指などをタブ部分542の右側に係合させ、カムレバーを図１２に551で示したように左に付勢する。戻り止め孔546を戻り止めスタッド548の外に移動させ、551の方向に移動させるには、力を551の方向に手で加えることで十分である。図１２に及び図７にも更に示したように、カムレバーの551の方向への移動は、カム面540とカムスタッド575とを共働させ、取付けられている電源アセンブリ510をハウジングの後方に、図１２に及び図７に示される位置に移動させる。この位置で、高密度電力ソケット526は、電源ベイにある対応するソケット580から切り離されており、ＡＣ遮断528は、ＡＣ遮断スタッド590からＡＣ電源接続を遮断するのに十分なだけ変位してしまっている。
【手続補正９】
【補正対象書類名】明細書
【補正対象項目名】００６０
【補正方法】変更
【補正の内容】
【００６０】
ドア221の小ねじ238による閉位置での実際的な保持に加えて、例えば戻り止めボス774をフランジ776に設けること、戻り止めボス778をフランジ780に設けること等、ドアを閉位置に保持するための更なる装置を設けることができる。戻り止めボスは、それぞれフランジ742及び744にある孔782（一つだけを図示してある）と共働する。
【手続補正１０】
【補正対象書類名】明細書
【補正対象項目名】００６３
【補正方法】変更
【補正の内容】
【００６３】
上記に説明したようなモジュール式ハードドライブアセンブリ710を備えたコンピュータを設けることにより、ユーザにとって及びコンピュータのサービス部門にとって多数の利益がもたらされることが認識されよう。例えば、ユーザが欠陥のあるハードドライブで作業を行なわなければならない場合、ユーザは、それを容易に取り外し、コンピュータ全体を梱包し輸送するというかなりの困難を経験することなしに、修理現場に輸送することができる。更に、個人は、コンピュータ動作システムのコピーを備える他のドライブを所有していれば、ハードドライブなしで自分のコンピュータを使用し続けることができる。別の利点は、自分のコンピュータの他の部分にサービスを必要とするコンピュータのオペレータが、コンピュータを輸送する前にハードドライブを取り外し保持することができ、したがってハードドライブ全体にわたる制御及び格納されている検出可能なデータを保持することができる。またユーザは、取り外し可能なハードドライブを、コンピュータユーザが取り外し可能な媒体を使用するのと同じ様式で使用することができる。例えば、多数のユーザにより共有されているコンピュータでは、各ユーザが、動作セッションの開始時に自分が手でインストールした個別ハードドライブを所有し、保存することができる。着脱可能なハードドライブは、もちろん、ユーザの欠陥ハードドライブを、おそらくはユーザが待っている間に、容易に交換することができる修理店にとって大きな利益をもたらす。容易に取り外し可能なハードドライブは、ハードドライブの修理又は保証サービスに関連する労働時間を減らし、したがってコンピュータのサービス員ばかりでなくコンピュータユーザにとっても有益である。
【手続補正１１】
【補正対象書類名】明細書
【補正対象項目名】００７６
【補正方法】変更
【補正の内容】
【００７６】
１１．１０項の方法を使用して製造されたコンピュータ。